(57)【特許請求の範囲】
【請求項５】
内壁部の上部に上突条部を横方向に複数列形成するとともに、前記内壁部の下部に下突条部を前記上突条部に対向する位置に形成した箱状のケースと、
ディスクの一隅角部を軸方向に対して傾斜する条溝部に挿入し、長手方向に所定の間隔をもって設置した断面略Ｌ字状の保持部と、
前記保持部の上端部に形成され、前記上突条部に前後方向にスライド可能に係合する上凹条部と、
前記保持部の下端部に形成され、前記下突条部に前後方向にスライド可能に係合する下凹条部とを設け、前記保持部を前記ケースに対して前後方向にスライドさせることにより、前記ディスクを前記ケースに対して出し入れできるようにしたことを特徴とするディスク収納装置。
【請求項１０】
階段状に形成された基台の各面部に軸方向に対して１０度〜７０度の角度範囲で傾斜するように、複数列に形成された条溝部を有し、前記条溝部のうち前記基台の各面部のうち水平となる上面部の条溝部にディスクの一隅角部を着脱可能に挿入するようにしたことを特徴とするディスク立て装置。
【請求項１１】
水平な基盤と該基盤に傾斜状態に連接された載置板部とからなる断面略楔形の衝立ケースを備え、この衝立ケースの前記載置板部に長手方向に対して傾斜するように形成した複数列の条溝部を有し、これら条溝部にディスクの一隅角部を着脱可能に挿入するようにしたことを特徴とするディスク立て装置。
【請求項１２】
前記衝立ケースは、互いに重なり合うことが可能となるように複数設けられ、前記条溝部に前記ディスクの一隅角部を挿入した状態で複数の前記衝立ケースを重ね合わせて収容することを特徴とする請求項１１に記載のディスク立て装置。
【請求項１３】
前記条溝部には、これら条溝部よりも幅広で短尺な拡幅溝が重複して形成され、前記ディスクあるいは厚みの大きなディスクケースの一隅角部がそれぞれ選択的かつ着脱可能に挿入されることを特徴とする請求項５、１０、１１、１２のいずれかに記載のディスク立て装置。
【発明の詳細な説明】
技術分野
本発明は、各種のディスケットをはじめコンパクトディスク、ミニディスクやフロッピィディスクといった矩形のディスクを合理的に立てたり、収納したりするディスク立て装置およびその収納装置に関する。
背景技術
この種のディスクの多くは、ＣＤ、ＭＤやＦＤと呼称され、音楽を聞いたり、事務的処理などに利用された後には、再使用を考慮して所定の位置に保管している。使用後に保管するにあたっては、例えば箱状の引出しにしまったり、本立て状の棚に横方向に重なり合うように収容されている。
ところで、ディスクの表面には、記録内容として題名を記したラベルが備えられ、再使用の際の便宜に供している。
しかしながら、上記のように引出しにしまったり、本立て状の棚に収容するものでは、収納時にディスク同士の全体が隙間なく重なり合ってしまうので、ディスクの題名が見えなくなる。このため、再使用時に何度も確認しながらディスクの出し入れを繰り返さないと、取り出したいディスクを素早く入手できない不都合がある。
本発明は上記事情に鑑みてなされ、その目的は再使用時に外部から各ディスクの題名を視認しやすく、所望のディスクを素早く取り出すことができるといった実用的に優れたディスク立て装置およびその収納装置を提供することにある。
発明の開示
（１）ディスクを長手方向に所定の間隔をもって設置し、断面略Ｌ字状をなす保持部を箱状のケースに対して前後方向にスライドすることにより、ディスクをケースに対して出し入れできる。このため、保持部を箱状のケースから引き出せば、所定の間隔をもって部分的に重なり合った複数のディスクが露呈され、再使用の際に各ディスクの題名が視認でき、所望のディスクを素早く取り出すことができる。
（２）階段状に形成された基台を左右のどちらにも倒すことができ、倒した状態で水平となる上面部の条溝部にディスクの一隅角部を挿入することができる。しかも、注目を集める趣向で多目的な使用が可能となる。
（３）水平な基盤とこの基盤に傾斜状態に連接された載置板部とからなる断面略楔形の衝立ケースを備え、この衝立ケースの載置板部に長手方向に対して傾斜するように形成した複数列の条溝部を有し、これら条溝部にディスクの一隅角部を着脱可能に挿入するようにした。このため衝立ケースが机上などに置かれて奇抜で装飾的な印象を与え、事務機器を使用する職場の事務能率の向上に資する。
（４）衝立ケースは、互いに重なり合うことが可能となるように複数設けられており、条溝部にディスクの一隅角部を挿入した状態で複数の衝立ケースを重ね合わせて収容する。このため、ディスクの収容量を大幅に増加させることができて高密度収容が可能になる。
（５）条溝部には、この条溝部よりも幅広で短尺な拡幅溝が重複して形成され、厚みの大きなディスクケースの一隅角部も着脱可能に挿入される。このため、ディスクおよびディスクを収容した肉厚のケースのいずれでも選択的に挿入することができて便利である。
発明を実施するための最良の形態
本発明の各実施例を図面に基づいて説明する。
図１は本発明の第１実施例におけるディスク立て装置Ａを示す。この図１において、１は断面矩形の細長な基台で、これの上面部には長手方向に対して傾斜する短寸の条溝部２が所定の間隔Ｌをもって複数（例えば、１０本）形成されている。この条溝部２の基台１の長手方向に対する傾斜角度は、１０度〜７０度の範囲内（例えば４５度）に設定している。
基台１の条溝部２には、使用後の保管として、例えば矩形のディスクケースや矩形のディスク３の一隅角部が着脱可能に挿入されている。ディスク３としては、ディスケット（ＤＫ）をはじめコンパクトディスク（ＣＤ）、ミニディスク（ＭＤ）やフロッピィディスク（ＦＤ）などと呼ばれるものがある。
このようなディスク立て装置Ａによれば、ディスク３は長手方向に傾斜しているとともに、所定の間隔Ｌをもって並列されている。このため、複数のディスク３が所定の間隔Ｌをもって部分的に重なり合うようになり、再使用時に隣接するディスク３の隙間から各ディスク３の記録内容としての題名を視認することができ、所望のディスク３を素早く取り出すことができる。
図２および図３は本発明の第２実施例を示す。この実施例のディスク立て装置Ｂが、第１実施例と異なるところは、第２実施例では基台１の後側縁部１ａに縦壁部４を形成して全体的に断面略Ｌ字状となる保持部５を構成したことである。そして、ディスク３の他端部（他隅角部）を縦壁部４の内側部に当接させ、ディスク３の設置状態を安定化している。
図３に示すディスク収納装置Ｃは、図２のディスク立て装置Ｂを箱状のケース６内に収納したものである。このため、ケース６の内壁部６ａの上部に上突条部７を横方向に複数列形成するとともに、内壁部６ａの下部に下突条部８を上突条部７に対向する位置に形成している。
そして、保持部５の上端部に、上突条部７に前後方向にスライド可能に係合する上凹条部９を形成し、保持部５の下端部に、下突条部８に前後方向にスライド可能に係合する下凹条部１０を形成している。この保持部５をケース６内で前後方向にスライドすることにより、上凹条部９が上突条部７に沿って変位し、下凹条部１０が下突条部８に沿って変位する。これにより、ディスク３をケース６に対して出し入れできる。
図４は本発明の第３実施例を示す。この実施例のディスク立て装置Ｄでは、基台１が互いに長手方向にスライド可能となるように横方向に並列している。この場合、基台１に形成された条溝部２は、基台１の長手方向に沿っており、条溝部２に着脱可能に挿入されたディスク３は、所定の間隔をもって並列している。基台１同士のスライドは、互いに隣接する基台１の対向側面に形成した臍１１と蟻溝１２との嵌合により行われる。なお、条溝部２は、基台１の長手方向に対して所定の角度をもって傾斜していてもよい。
この第３実施例によれば、図４の二点鎖線の位置と実線の位置とに示すように、基台１のスライド量を適宜に変更することにより全体が様々な形状をとることができる。このため、デザインの多様化が図られるとともに、設置箇所の形状に見合った形状に設置することができ、設置の自由度が増す。
基台１の材質は、木材をはじめ金属や様々なプラスチックが挙げられる。
また、ディスク３の外形は、矩形に加えて円形、正方形や多角形などの種々のものから選択することができる。
また、ディスク３を等間隔に並列したが、これに限らず不等間隔、例えば等比級数あるいは等差級数的に異なる間隔に並列してもよい。
図５は本発明の第４実施例を示す。この実施例のディスク立て装置Ｅでは、基台２０は多角筒、例えば四角筒状に形成されている。この基台２０の各面部には、それぞれ複数列の条溝部２０ａ、２０ｂ、２０ｃ、２０ｄが軸方向に傾斜するように形成されている。
この場合は、基台２０を机上などで回すなどして水平となる上面部の条溝部２０ａにディスクの一隅角部を挿入することができる。なお、基台２０は五角形、六角形、八角形をはじめとする多面体などであってもよい。
図６は本発明の第５実施例を示す。この実施例のディスク立て装置Ｅ１では、五角筒形の基台２０Ａを採用している。基台２０Ａの各頂点部には、複数列の条溝部２０ｅ、２０ｆ、２０ｇ、２０ｈ、２０ｉが軸方向に対して傾斜するように稜部に沿って形成されている。基台２０Ａを机上などで回すなどして基台２０Ａの最上部の条溝部２０ｅにディスクの一隅角部を挿入することができる。
図７は本発明の第６実施例を示す。この実施例のディスク立て装置Ｅ２では、断面略山形のアングル状の基台２０Ｂを採用している。基台２０Ｂの頂点部には、複数列の条溝部２０ｋが軸方向に対して傾斜するように稜部に沿って形成されている。これら条溝部２０ｋにディスクの一隅角部を挿入することができる。
なお、基台２０Ｂは、略山形のアングル状に限らず、略Ｍ形や略Ｗ形など複数の山部を有するものであってもよい。これら、略Ｍ形や略Ｗ形の基台の山部および谷部の双方に条溝部を形成し、反転することにより基台の裏面の条溝部にディスクの一隅角部を挿入することができる。
図８は本発明の第７実施例を示す。この実施例のディスク立て装置Ｆでは、樋形基台２１は断面略コ字状に形成されている。この樋形基台２１の各面部には、それぞれ複数列の条溝部２１ａ、２１ｂ、２１ｃが軸方向に傾斜するように形成されている。この場合は、樋形基台２１を机上などで回すなどして水平となる上面部の条溝部２１ａにディスクの一隅角部を挿入することができる。
図９は本発明の第８実施例を示す。この実施例のディスク立て装置Ｇでは、基台２２は階段状（例えば２段）に形成されている。この基台２２の各面部には、それぞれ複数列の条溝部２２ａ、２２ｂ、２２ｃ、２２ｄが軸方向に傾斜するように形成されている。
この場合は、基台２２を矢印方向に机上などで回すなどして水平となる上面部の条溝部２２ａ、２２ｃにディスクの一隅角部を挿入することができる。なお、基台２２は中実あるいは中空に形成してあってもよい。
図１０は本発明の第９実施例を示す。この実施例のディスク立て装置Ｈでは、基台２３は階段状（例えば４段）に形成されている。この基台２３の各面部には、それぞれ複数列の条溝部２３ａ、２３ｂ、２３ｃ、２３ｄ、２３ｅ、２３ｆ、２３ｇ、２３ｈが軸方向に傾斜するように形成されている。この場合、基台２３を矢印方向に机上などで回すなどして水平となる上面部の条溝部２３ａ、２３ｃ、２３ｅ、２３ｇにディスクの一隅角部を挿入することができる。なお、基台２３は中実あるいは中空のいずれに形成してあってもよい。
図１１および図１２は本発明の第１０実施例を示す。この実施例のディスク立て装置Ｉでは、水平な基盤３０とこの基盤３０に傾斜状態に連接された載置板部３１とからなる断面略楔形の衝立ケース３２を備える。衝立ケース３２の載置板部３１は、細長な梁部３１ａを有し、梁部３１の上面部に梁部３１の長手方向に対して傾斜するように複数列に形成した条溝部３３を有する。これら条溝部３３にディスク３の一隅角部を着脱可能に挿入することができる。載置板部３１に対して水平な基盤３０は、下辺開放形の略台形状に形成されたフレーム部３１ｂを備えている。
衝立ケース３２を複数設けた場合、一方の衝立ケース３２のフレーム部３１ｂの内縁部Ｍを他方の衝立ケース３２のフレーム部３１ｂの外縁部Ｎに嵌め込むことにより衝立ケース３２が互いに重なり合う。このため、図１２に示すように、条溝部３３にディスク３の一隅角部を挿入した状態で複数（例えば５個）の衝立ケース３２を重ね合わせてディスク３を高密度に収容することができる。
なお、基盤３０は、下辺開放形の略台形状のフレーム部３１ｂに限らず、略ハの字状の脚形に形成したものでもよく、要は内縁部Ｍが外縁部Ｎに嵌るようになっていればよい。
図１３は本発明の第１１実施例を示す。この実施例では、条溝部２４に、この条溝部２４よりも幅広で短尺な拡幅溝２５を重複して形成している。この拡幅溝２５には、厚みの大きなディスクケースの一隅角部が着脱可能に挿入される。このため、ディスクおよびディスクを収容した肉厚なケースのいずれでも挿入することができて便利である。この拡幅溝２５は、第１実施例から第１０実施例の条溝部についても適用することができる。その他、本発明の具体的な実施にあたっては、発明の要旨を逸脱しない範囲で種々変更できる。
産業上の利用可能性
コンパクトディスク、ミニディスクあるいはフレキシブルディスクといったディスクを使用後に保管する際、ディスク同士が所定の間隔をあけて収容されているので、互いに隙間なく重なり合うことがない。このため、外部からディスクの題名を容易に視認することができ、再使用時に所望のディスクを素早く取り出すことができる。パーソナルコンピュータやワードプロセッサを常用する情報産業をはじめ、会計、経理事務や法律、卸業、小売業など事務処理効率の向上のため、事務機器を使うサービス産業にとって便利な補助具として広く適用することができる。
【図面の簡単な説明】
図１は、本発明の第１実施例に係るディスク立て装置の斜視図である。
図２は、本発明の第２実施例に係るディスク立て装置の斜視図である。
図３は、本発明に係るディスク収納装置の正面図である。
図４は、本発明の第３実施例に係るディスク立て装置の斜視図である。
図５は、本発明の第４実施例に係るディスク立て装置の斜視図である。
図６は、本発明の第５実施例に係るディスク立て装置の斜視図である。
図７は、本発明の第６実施例に係るディスク立て装置の斜視図である。
図８は、本発明の第７実施例に係るディスク立て装置の斜視図である。
図９は、本発明の第８実施例に係るディスク立て装置の斜視図である。
図１０は、本発明の第９実施例に係るディスク立て装置の斜視図である。
図１１は、本発明の第１０実施例に係るディスク立て装置の斜視図である。
図１２は、衝立ケースを重ね合わせて収容した状態を示すディスク立て装置の斜視図である。
図１３は、本発明の第１１実施例に係る条溝部を示す斜視図である。
【図１】
0004064242.tif 000002
【図２】
0004064242.tif 000003
【図３】
0004064242.tif 000004
【図４】
0004064242.tif 000005
【図５】
0004064242.tif 000006
【図６】
0004064242.tif 000007
【図７】
0004064242.tif 000008
【図８】
0004064242.tif 000009
【図９】
0004064242.tif 000010
【図１０】
0004064242.tif 000011
【図１１】
0004064242.tif 000012
【図１２】
0004064242.tif 000013
【図１３】
0004064242.tif 000014